(57)【要約】      （修正有）【課題】日常において持ち歩くことの多いハンカチとして使用することができると共に、飲食時には衣服の広範囲を被覆しうるエプロンとして容易に使用でき、飲食物の衣服への付着を防止しうるエプロン兼用ハンカチを提供すること。【解決手段】首に固定して胸の前に掛けて使用しうるエプロン兼用ハンカチ１０であって、左右対称に折りたたみうる布部１１と、布部に鋭角を以って交差するように固定された一対の締結用紐部１２、１３とを備えている。【選択図】図２
0003140613.tif 000002
【実用新案登録請求の範囲】
【請求項１】
首に固定して胸の前に掛けて使用しうるエプロン兼用ハンカチであって、
左右対称に折りたたみうる布部と、前記布部に鋭角を以って交差するように固定された一対の締結用紐部とを備えたことを特徴とするエプロン兼用ハンカチ。
【請求項２】
上記布部は方形に形成され、上記一対の締結用紐部は、左右方向に形成される対角線に対して同一の角度で固定されていることを特徴とする請求項１記載のエプロン兼用ハンカチ。
【請求項３】
上記布部は正方形であって、上記締結用紐部は、締結用紐本体と、上記締結用紐本体が内部に挿通される細長状の挿通部とにより構成され、上記締結用紐本体は端部において上記挿通部に固定されていることを特徴とする請求項２記載のエプロン兼用ハンカチ。
【請求項４】
上記挿通部は、上記締結用紐本体が内部で移動可能に被覆しうる細長布材により形成され、上記一対の挿通部の開放側端部は、装着者の首の幅寸法以上の幅寸法をおいて配設されていることを特徴とする請求項３記載のエプロン兼用ハンカチ。
【請求項５】
上記挿通部は、首に掛けた場合に形成される左右方向の対角線に対して４５度以上の角度を以って相互に隣接する２つの上辺部に近接して固定されていることを特徴とする請求項４記載のエプロン兼用ハンカチ。
【考案の詳細な説明】
【技術分野】
【０００１】
本考案は、エプロン兼用ハンカチに係り、特に飲食時にエプロンとして使用でき、衣服の広範囲を被覆できるエプロン兼用ハンカチに関する。
【背景技術】
【０００２】
例えば、図３に示すように、飲食をする際に飲食物が衣服に付着しないようにハンカチ４０の角部４１を襟元に差し込んで衣服への飲食物の付着を防ぐ場合がある。
しかしながら、このようにハンカチ４０を使用しても、襟元に差し込んだハンカチ４０は脱落し易く、十分に幅方向に拡張されていないため、衣服を十分に被覆できないという欠点を有している。
また、高価なネクタイを着用して飲食をする場合に、ネクタイの全体を被覆できるような十分な縦方向の寸法を有するエプロンがあればネクタイの汚れを防止できる。
従って、このような場合に、日常において持ち歩くことの多いハンカチとして使用することができると共に、飲食時には衣服の広範囲を被覆できるエプロンとして容易に使用でき、飲食の際の飲食物による衣服の汚れを効果的に防止できるエプロン兼用ハンカチがあれば便利である。
【考案の開示】
【考案が解決しようとする課題】
【０００３】
本考案は、日常において持ち歩くことの多いハンカチとして使用することができると共に、飲食時には衣服の広範囲を被覆しうるエプロンとして容易に使用でき、飲食物の衣服への付着を防止しうるエプロン兼用ハンカチを提供することにある。
【課題を解決するための手段】
【０００４】
上記課題を解決するために、請求項１記載の考案にあっては、首に固定して胸の前に掛けて使用しうるエプロン兼用ハンカチであって、左右対称に折りたたみうる布部と、前記布部に鋭角を以って交差するように固定された一対の締結用紐部とを備えたことを特徴とする。
従って、首に固定して胸の前に掛けて使用しうるエプロン兼用ハンカチであって、左右対称に折りたたみうる布部と、前記布部に鋭角を以って交差するように固定された一対の締結用紐部とを備えているので、ハンカチとして使用することができると共に、装着時には衣服の広範囲を被覆できる。
【０００５】
請求項２記載の考案にあっては、上記布部は方形に形成され、上記一対の締結用紐部は、左右方向に形成される対角線に対して同一の角度で固定されていることを特徴とする。
従って、上記布部は方形に形成され、上記一対の締結用紐部は、左右方向に形成される対角線に対して同一の角度で固定されているので、上記布部は上記左右方向に形成される対角線方向に均等に展張される。
また、上記布部は方形に形成されているので、上記布部の下端部に形成される角部により縦方向の長さ寸法を確保できる。
【０００６】
請求項３記載の考案にあっては、上記布部は正方形であって、上記締結用紐部は、締結用紐本体と、上記締結用紐本体が内部に挿通される細長状の挿通部とにより構成され、上記締結用紐本体は端部において上記挿通部に固定されていることを特徴とする。
従って、上記締結用紐部は、締結用紐本体と、上記締結用紐本体が内部に挿通される細長状の挿通部とにより構成され、上記締結用紐本体は端部において上記挿通部に固定されているので、装着した場合に、上記締結用紐本体の上記端部が固定された状態で上記締結用紐本体が引張されて、上記締結用紐本体が上記挿通部に対して相対的に移動することにより、布部の上下方向において締結用紐部が固定された部位を引き絞るようにして装着することができる。
また、上記挿通部の内部に挿通されている締結用紐本体が引張されるので、上記締結用紐本体の引張力により、上記挿通部の左右方向の位置関係が保持される。
【０００７】
請求項４記載の考案にあっては、上記挿通部は、上記締結用紐本体が内部で移動可能に被覆しうる細長布材により形成され、上記一対の挿通部の開放側端部は、装着者の首の幅寸法以上の幅寸法をおいて配設されていることを特徴とする。
従って、上記一対の挿通部の開放側端部は、装着者の首の幅寸法以上の幅寸法をおいて配設されているので、装着者は首に締結用紐本体を掛け回して容易に装着できる。
【０００８】
請求項５記載の考案にあっては、上記挿通部は、首に掛けた場合に形成される左右方向の対角線に対して４５度以上の角度を以って相互に隣接する２つの上辺部に近接して固定されていることを特徴とする。
従って、上記挿通部は、首に掛けた場合に形成される左右方向の対角線に対して４５度以上の角度を以って相互に隣接する２つの上辺部に近接して固定されているので、上記締結用紐本体は上記布部の上方で交差すると共に、装着時には衣服を被覆する範囲をより広く確保した状態で上記布部は上記布部の上記左右方向に形成される対角線方向に展張される。
【考案の効果】
【０００９】
請求項１記載の考案にあっては、首に固定して胸の前に掛けて使用しうるエプロン兼用ハンカチであって、左右対称に折りたたみうる布部と、前記布部に鋭角を以って交差するように固定された一対の締結用紐部とを備えているので、日常において持ち歩くことの多いハンカチとして使用することができると共に、飲食時には衣服の広範囲を被覆しうるエプロンとして容易に使用でき、飲食物の衣服への付着を防止しうるエプロン兼用ハンカチを提供することができる。
【００１０】
請求項２記載の考案にあっては、上記布部は方形に形成され、上記一対の締結用紐部は、左右方向に形成される対角線に対して同一の角度で固定され、上記布部は上記左右方向に形成される対角線方向に均等に展張されるので、より衣服の広範囲を被覆して飲食物の衣服への付着を防止しうるエプロン兼用ハンカチを提供することができる。
また、上記布部は方形に形成され、上記布部の下端部に形成される角部により縦方向の長さ寸法を確保できるので、ネクタイを着用している場合に、ネクタイの全体を被覆して飲食物のネクタイへの付着を防止しうるエプロン兼用ハンカチを提供することができる。
【００１１】
請求項３記載の考案にあっては、装着した場合に、上記締結用紐本体の固定された上記端部が引張されて、上記締結用紐本体が上記挿通部に対して相対的に移動することにより、布部の上下方向において締結用紐部が固定された部位を引き絞るようにして装着することができるため、左右方向の角部が絞られ、両腕を動かす際の邪魔になることがないエプロン兼用ハンカチを提供することができる。
また、上記挿通部の内部に挿通されている締結用紐本体が引張されることによる上記締結用紐本体の引張力により、上記挿通部の左右方向の位置関係が保持されるので、布部の内側への折れ込みを防止して、上記布部の広がりを保持しつつ衣服への密着を確保しうるエプロン兼用ハンカチを提供することができる。
【００１２】
請求項４記載の考案にあっては、上記一対の挿通部の開放側端部は、装着者の首の幅寸法以上の幅寸法をおいて配設されているので、装着者が首に締結用紐本体を掛け回して容易に装着しうるエプロン兼用ハンカチを提供することができる。
【００１３】
請求項５記載の考案にあっては、上記挿通部は、首に掛けた場合に形成される左右方向の対角線に対して４５度以上の角度を以って固定されており、上記締結用紐本体は上記布部の上方で交差するので、装着者が容易に装着しうるエプロン兼用ハンカチを提供することができる。
また、上記挿通部は、相互に隣接する２つの上辺部に近接して固定されており、上記締結用紐本体は上記布部の上方で交差すると共に、装着時には衣服を被覆する範囲をより広く確保した状態で上記布部は上記布部の上記左右方向に形成される対角線方向に展張されるので、より衣服の広範囲を被覆して飲食物の衣服への付着を防止しうるエプロン兼用ハンカチを提供することができる。
【考案を実施するための最良の形態】
【００１４】
以下、図面を用いて本考案の実施の形態について説明する。
図１に示すように、本実施の形態に係るエプロン兼用ハンカチ１０は、首に固定して胸の前に掛けて使用しうるエプロン兼用ハンカチ１０であって、左右対称に折りたたみうる布部１１と、前記布部１１に鋭角αを以って交差するように固定された一対の締結用紐部１２，１３とを備えている。
また、上記布部１１は方形に形成され、上記一対の締結用紐部１２，１３は、左右方向に形成される対角線Ａに対して同一の角度βで固定されている。
また、上記布部１１は正方形であって、上記締結用紐部１２，１３は、締結用紐本体１４，１５と、上記締結用紐本体１４，１５が内部に挿通される細長状の挿通部１６，１７とにより構成され、上記締結用紐本体１４、１５は端部１８，１９において上記挿通部１６，１７に固定されている。
また、上記挿通部１６，１７は、上記締結用紐本体１４，１５が内部で移動可能に被覆しうる細長布材により形成され、上記一対の挿通部１６，１７の開放側端部２０，２１は、装着者の首の幅寸法以上の幅寸法Ｄをおいて配設されている。
また、上記挿通部１６，１７は、首に掛けた場合に形成される左右方向の対角線Ａに対して４５度以上の角度βを以って相互に隣接する２つの上辺部２２，２３に近接して固定されている。
【実施例】
【００１５】
以下に、図面を用いて本実施例について詳細を説明する。
図１に示すように、本実施例に係るエプロン兼用ハンカチ１０は、上下方向に形成される対角線Ｂに対して左右対称に形成され、上下方向に形成される対角線Ｂに沿って左右対称に折りたたみうる正方形の布部１１と、交差点Ｃにおいて鋭角αを以って交差するように上記布部１１に固定された一対の締結用紐部１２，１３とにより構成されている。
また、上記布部１１は、互いに隣接する２つの上辺部２２，２３と、互いに隣接する２つの下辺部２４，２５により夫々の端辺が形成され、上記２つの上辺部２２，２３により角部２８が形成され、上記２つの下辺部２４，２５により角部２９が形成され、上記一方の上辺部２２と上記一方の下辺部２４により角部３０が形成され、また、上記他方の上辺部２３と上記他方の下辺部２５により角部３１が形成されている。
また、上記布部１１は、上記布部１１の最長寸法を有する上記布部１１の対角線Ｂが上下方向に配置されるように構成されており、上記布部１１の下端部には、上記角部２９が配置されている。
【００１６】
また、上記締結用紐部１２，１３は、締結用紐本体１４，１５と、上記締結用紐本体１４，１５が内部に挿通される細長状の挿通部１６，１７とにより構成されている。
また、上記布部１１と上記一対の締結用紐部１２，１３は、同一の布材により形成されている。
また、上記布部１１の上記４つの辺部２２，２３、２４，２５は縫製されることにより形成され、上記締結用紐本体１４，１５は細長状の布材を長さ方向に沿って半分に折りたたまれて縫製されることにより形成され、上記挿通部１６，１７は細長布材により形成されると共に上記締結用紐本体１４，１５が内部で移動しうるように幅方向両端部が上記布部１１に縫合されている。
また、上記締結用紐本体１４、１５は、上記挿通部１６，１７に挿通され、長さ方向の一方の端部１８，１９が上記挿通部１６，１７の下端部２６，２７に縫合されることにより固定されると共に上記挿通部１６，１７の開放側端部２０，２１から引張しうるように構成されている。
また、図１に示すように、上記一対の締結用紐本体１４，１５は、首に装着した場合に、首の背部に上記締結用紐本体１４，１５の交差点Ｃが配置されると共に一対の長さ方向の他方の端部３２，３３を把持して首の背部で互いに固定しうる長さ寸法を有している。
また、上記一対の締結用紐部１２，１３における挿通部１６，１７は、左右方向に形成される対角線Ａに対して同一の角度βで縫合されている。
また、上記一方の挿通部１６は上下方向において互いに隣接する２つの一方の辺部２２から他方の辺部２４との間に亘って直線状に配設され、上記他方の挿通部１７は上下方向において互いに隣接する２つの一方の辺部２３から他方の辺部２５との間に亘って直線状に配設されている。
【００１７】
また、上記対角線Ａに対しての角度βは、対角線Ａに対して角度４５度以上の角度βを以って相互に隣接する２つの上辺部２２，２３に近接して縫合されている。
本実施例の場合、図１に示すように、上記挿通部１６，１７は、左右方向に形成される対角線Ａに対して同一の角度略６５度で縫合されている。
また、上記一対の挿通部１６，１７の開放側端部２０，２１は、装着者の首の幅寸法以上の幅寸法Ｄをおいて配設され、上記開放側端部２０，２１から外方に延設されている上記締結用紐本体１４，１５を容易に首に装着しうるように構成されている。
【００１８】
以下、本実施例の作用について説明する。
本実施例に係るエプロン兼用ハンカチ１０をハンカチとして持ち歩く場合には、例えば、図１に示すような正方形状の布部１１を互いに対向する一方の上辺部２２と他方の下辺部２５とが重なるように長方形状に折りたたんだ後に、互いに対向する他方の上辺部２３と一方の下辺部２４とが重なるように正方形状に折りたたみ、紐部１４，１５を適宜折たたむことにより、衣服のポケット等に収納して持ち歩くことができる。
そして、エプロン兼用ハンカチ１０をハンカチとして使用する場合には、上記エプロン兼用ハンカチ１０を折りたたんだ状態や展開した状態で使用することができる。
この場合、上記布部１１、上記一対の締結用紐部１２，１３における締結用紐部１４，１５、及び挿通部１２，１３は、同一の布材により形成されているので、使用する際の外観上の体裁は良好であり、水分を吸収する等のハンカチの本来の基本機能を妨げることはない。
【００１９】
また、エプロン兼用ハンカチ１０を飲食時にエプロンとして使用する場合には、ハンカチとして折りたたまれているエプロン兼用ハンカチ１０を図１のように展開して、一対の締結用紐部１２，１３に形成される一対の長さ方向の他方の端部３２，３３を把持して上方へ引張する。
そして、上記締結用紐本体１４，１５を首の背部において交差点Ｃで交差するように配置して、上記交差点Ｃの近傍において上記締結用紐本体１４，１５を互いに縛ることにより固定する。
この場合、図２に示すように、上記締結用紐本体１４，１５は、上記挿通部１６，１７に挿通され、長さ方向の一方の端部１８，１９が上記挿通部１６，１７の下端部２６，２７に縫合されることにより固定されると共に上記締結用紐本体１４、１５は上記挿通部１６，１７の開放側端部２０，２１から引き出しうるように構成されているので、上記締結用紐本体１４，１５は上方へ引張されることにより上記挿通部１６，１７に対して相対的に上方へ移動する。
この結果、上記締結用紐本体１４，１５が挿通された状態で上記挿通部１６，１７が布部１１に縫合されているので、上記締結用紐本体１４，１５が上方へ引張されると、図２に示すように、上記挿通部１６，１７の内部に挿通されている締結用紐本体１４，１５が引張されることによる上記締結用紐本体１４，１５の引張力により、上記挿通部１６，１７の左右方向の位置関係が保持され、布部１１の内側への折れ込みを防止して、広がりを保持しつつ衣服への密着を確保できる。
また、上記布部１１の上下方向において上記締結用紐部１２，１３が縫合された部位を引き絞るようにして装着することができるため、左右方向の角部３０，３１が絞られることにより、左右方向に形成される対角線Ａ方向においては、図１に示すような展開時よりも折りたたまれて両腕を動かす際の邪魔になることがない。
【００２０】
また、図１に示すように、上記挿通部１６，１７は、相互に隣接する２つの上辺部２２，２３に近接して縫合され、上記一方の挿通部１６は上下方向において互いに隣接する２つの一方の辺部２２から他方の辺部２４との間に亘って直線状に配設されると共に上記他方の挿通部１７は上下方向において互いに隣接する２つの一方の辺部２３から他方の辺部２５との間に亘って直線状に配設されているので、衣服の広範囲を被覆しうる上記布部１１の広がりを確保できる。
また、上記一対の締結用紐部１２，１３における挿通部１６，１７は、左右方向に形成される対角線Ａに対して同一の角度４５度以上の角度βを以って縫合されており、上記一対の締結用紐本体１４，１５を直線状に伸ばした場合に上記布体１１の上方で交差する交差点Ｃが首の背部に配置されるように形成されているので、装着者は首に上記締結用紐本体１４，１５を掛け回して容易にエプロン兼用ハンカチ１０を装着できる。
【００２１】
また、図２に示すように、上記布部１１は正方形に形成され、上記布部１１の最長寸法である上記布部１１の対角線Ｂが上下方向に配置されるように構成されているので、ネクタイを着用している場合に、上記布部１１の下端部に形成される角部２９によりネクタイの全体は被覆されることから、飲食物のネクタイへの付着を防止しうるエプロン兼用ハンカチ１０を提供することができる。
【００２２】
また、図２に示すように、装着者が装着する場合に、上記一対の挿通部１６，１７の開放側端部２０，２１は、装着者の首の幅寸法以上の幅寸法Ｄをおいて配設されているので、上記開放側端部２０，２１から外方に延設されている上記締結用紐本体１４，１５を引き出した後に、首の背部において上記締結用紐本体１４，１５を容易に固定できるので、装着者は首に上記締結用紐本体１４，１５を掛け回してエプロン兼用ハンカチ１０を容易に装着することができる。
【産業上の利用可能性】
【００２３】
本考案は、エプロン兼用ハンカチに係り、衣服の広範囲を被覆しうるエプロン兼用ハンカチに適用することができる。
【図面の簡単な説明】
【００２４】
【図１】本考案に係るエプロン兼用ハンカチの一実施の形態を示す平面図である。
【図２】本考案に係るエプロン兼用ハンカチをエプロンとして使用した場合の一実施の形態を示す使用状態図である。
【図３】従来のハンカチをエプロンとして用いた場合の使用状態図である。
【符号の説明】
【００２５】
１０  エプロン兼用ハンカチ
１１  布部
１２  締結用紐部
１３  締結用紐部
１４  締結用紐本体
１５  締結用紐本体
１６  挿通部
１７  挿通部
１８  締結用紐本体の端部
１９  締結用紐本体の端部
２０  開放側端部
２１  開放側端部
２２  上辺部
２３  上辺部
２４  下辺部
２５  下辺部
２６  挿通部の下端部
２７  挿通部の下端部
２８  角部
２９  角部
３０  角部
３１  角部
３２  締結用紐本体の他方の端部
３３  締結用紐本体の他方の端部
Ａ    左右方向に形成される対角線
Ｂ    上下方向に形成される対角線
Ｃ    交差点
Ｄ    開放側端部の幅寸法
α    一対の締結用紐部の交差角
β    左右方向の対角線に対する挿通部の角度
【図１】
0003140613.tif 000003
【図２】
0003140613.tif 000004
【図３】
0003140613.tif 000005